【手続補正書】
【提出日】平成29年10月5日(2017.10.5)
【手続補正１】
【補正対象書類名】特許請求の範囲
【補正対象項目名】全文
【補正方法】変更
【補正の内容】
【特許請求の範囲】
【請求項１】
セカンダリ基地局の通信方法であって、
マスター基地局から受信した１つ以上のパケット・データ・コンバージェンス・プロトコル−プロトコル・データ・ユニット（ＰＤＣＰ  ＰＤＵ）をユーザ機器へ送信するステップと、
上記マスター基地局から受信した上記１つ以上のＰＤＣＰ  ＰＤＵのうちで、上記ユーザ機器への送信に成功したＰＤＣＰ  ＰＤＵの最大シーケンス番号を少なくとも含む下りデータ伝送状態メッセージを上記マスター基地局へ送信するステップと、を含む方法。
【請求項２】
上記セカンダリ基地局は、
条件（１）送信が成功したＰＤＣＰ  ＰＤＵの数が設定値に達したこと、
条件（２）設定されたタイマーがタイムアップしたこと、
条件（３）送信が成功したＰＤＣＰ  ＰＤＵの最大シーケンス番号と最小シーケンス番号との差が、設定されたビットマップ長以上であること、
の少なくとも１つが満たされたか否かに基づいて、上記マスター基地局へ下りデータ伝送状態メッセージを送信するか否かを判断するステップをさらに含む、請求項１に記載の方法。
【請求項３】
上記セカンダリ基地局は、送信が成功したＰＤＣＰ  ＰＤＵの数が設定値に達したか否かを判断し、
設定値に達した場合には、上記マスター基地局へ下りデータ伝送状態メッセージを送信し、
設定値に達していない場合には、上記セカンダリ基地局は、さらに、第１のタイマーがタイムアップしたか否かを判断し、
上記第１のタイマーがタイムアップした場合には、上記セカンダリ基地局は上記マスター基地局へ上記下りデータ伝送状態メッセージを送信する、請求項１に記載の方法。
【請求項４】
上記第１のタイマーがタイムアップしていない場合には、上記セカンダリ基地局は、さらに、上記ＰＤＣＰ  ＰＤＵがすべて送信完了されたか否かを判断し、
上記ＰＤＣＰ  ＰＤＵがすべて送信完了されている場合には、上記セカンダリ基地局は、上記マスター基地局へ上記下りデータ伝送状態メッセージを送信し、
上記ＰＤＣＰ  ＰＤＵがすべて送信完了されていない場合には、上記セカンダリ基地局は、上記マスター基地局へ上記下りデータ伝送状態メッセージを送信しない、請求項３に記載の方法。
【請求項５】
上記下りデータ伝送状態メッセージは、送信が成功したＰＤＣＰ  ＰＤＵのシーケンス番号を含む、請求項３または４に記載の方法。
【請求項６】
上記設定値及び上記第１のタイマーの計時周期が、
上記マスター基地局から上記セカンダリ基地局へ送信される、上記ユーザ機器のために余分なリソースを要求する要求メッセージ内に含まれて送信されるか、基地局間無線リソース設定メッセージによって上記マスター基地局から上記セカンダリ基地局へ送信される、請求項３または４に記載の方法。
【請求項７】
上記セカンダリ基地局は、第２のタイマーがタイムアップしたか否かを判断し、
上記第２のタイマーがタイムアップした場合には、上記セカンダリ基地局は上記マスター基地局へ上記下りデータ伝送状態メッセージを送信する、請求項２に記載の方法。
【請求項８】
上記第２のタイマーがタイムアップしていない場合には、上記セカンダリ基地局は、さらに、上記ＰＤＣＰ  ＰＤＵがすべて送信完了されたか否かを判断し、
上記ＰＤＣＰ  ＰＤＵがすべて送信完了されている場合には、上記セカンダリ基地局は、上記マスター基地局へ上記下りデータ伝送状態メッセージを送信し、
上記ＰＤＣＰ  ＰＤＵがすべて送信完了されていない場合には、上記セカンダリ基地局は、上記マスター基地局へ上記下りデータ伝送状態メッセージを送信しない、請求項７に記載の方法。
【請求項９】
上記下りデータ伝送状態メッセージは、
送信が成功した上記ＰＤＣＰ  ＰＤＵのシーケンス番号を含むか、または、
送信が成功した上記ＰＤＣＰ  ＰＤＵの最小シーケンス番号と、該最小シーケンス番号の上記ＰＤＣＰ  ＰＤＵに続く上記ＰＤＣＰ  ＰＤＵを上記セカンダリ基地局による送信が成功したか否かを示すビットマップとを含む、請求項７または８に記載の方法。
【請求項１０】
上記第２のタイマーの計時周期が、
上記マスター基地局から上記セカンダリ基地局へ送信される、上記ユーザ機器のために余分なリソースを要求する要求メッセージ内に含まれて送信されるか、基地局間無線リソース設定メッセージによって上記マスター基地局から上記セカンダリ基地局へ送信される、請求項７または８に記載の方法。
【請求項１１】
上記セカンダリ基地局は、送信が成功した上記ＰＤＣＰ  ＰＤＵの最大シーケンス番号と最小シーケンス番号との差が、設定されたビットマップ長以上であるかを判断し、
上記差が、設定されたビットマップ長に等しく、または該ビットマップ長よりも大きい場合には、上記セカンダリ基地局は、上記マスター基地局へ上記下りデータ伝送状態メッセージを送信し、
上記差が、設定された上記ビットマップ長未満である場合には、上記セカンダリ基地局は、さらに、第３のタイマーがタイムアップしたか否かを判断し、
上記第３のタイマーがタイムアップした場合には、上記セカンダリ基地局は、上記マスター基地局へ下りデータ伝送状態メッセージを送信する、請求項２に記載の方法。
【請求項１２】
上記第３のタイマーがタイムアップしていない場合には、上記セカンダリ基地局は、さらに、上記ＰＤＣＰ  ＰＤＵがすべて送信完了されたか否かを判断し、
上記ＰＤＣＰ  ＰＤＵがすべて送信完了されている場合には、上記セカンダリ基地局は、上記マスター基地局へ上記下りデータ伝送状態メッセージを送信し、
上記ＰＤＣＰ  ＰＤＵがすべて送信完了されていない場合には、上記セカンダリ基地局は、上記マスター基地局へ上記下りデータ伝送状態メッセージを送信しない、請求項１１に記載の方法。
【請求項１３】
上記下りデータ伝送状態メッセージは、
送信が成功した上記ＰＤＣＰ  ＰＤＵの最小シーケンス番号と、該最小シーケンス番号の上記ＰＤＣＰ  ＰＤＵに続く上記ＰＤＣＰ  ＰＤＵを上記セカンダリ基地局による送信が成功したか否かを示すビットマップとを含む、請求項１１または１２に記載の方法。
【請求項１４】
上記差が、設定された上記ビットマップ長よりも大きい場合には、上記セカンダリ基地局は、さらに、上記ＰＤＣＰ  ＰＤＵがすべて送信完了されたか否かを判断し、
上記ＰＤＣＰ  ＰＤＵがすべて送信完了されている場合には、上記セカンダリ基地局は、直近１回の送信が成功した上記ＰＤＣＰ  ＰＤＵのシーケンス番号を含む上記下りデータ伝送状態メッセージを上記マスター基地局へ送信し、
上記ＰＤＣＰ  ＰＤＵがすべて送信完了されていない場合には、上記セカンダリ基地局は、上記マスター基地局へ上記下りデータ伝送状態メッセージを送信しない、請求項１１または１２に記載の方法。
【請求項１５】
上記ビットマップ長は、
上記マスター基地局から上記セカンダリ基地局へ送信される、上記ユーザ機器のために余分なリソースを要求する要求メッセージ内に含まれて送信されるか、基地局間無線リソース設定メッセージによって上記マスター基地局から上記セカンダリ基地局へ送信される、請求項１１または１２に記載の方法。
【請求項１６】
マスター基地局から受信した１つ以上のパケット・データ・コンバージェンス・プロトコル−プロトコル・データ・ユニット（ＰＤＣＰ  ＰＤＵ）をユーザ機器へ送信するために構成された、あるいはプログラムされたデータ送信装置と、
上記マスター基地局から受信した上記１つ以上のＰＤＣＰ  ＰＤＵのうちで、上記ユーザ機器への送信に成功したＰＤＣＰ  ＰＤＵの最大シーケンス番号を少なくとも含む下りデータ伝送状態メッセージを上記マスター基地局へ送信するために構成された、あるいはプログラムされた下りデータ伝送状態メッセージ送信装置と、を含むセカンダリ基地局。
【請求項１７】
条件（１）送信が成功したＰＤＣＰ  ＰＤＵの数が設定値に達したこと、
条件（２）設定されたタイマーがタイムアップしたこと、
条件（３）送信が成功したＰＤＣＰ  ＰＤＵの最大シーケンス番号と最小シーケンス番号との差が、設定されたビットマップ長以上であること、
の少なくとも１つが満たされたか否かに基づいて、上記マスター基地局へ上記下りデータ伝送状態メッセージを送信するか否かを判断するために構成された、あるいはプログラムされた判断装置をさらに含む、請求項１６に記載のセカンダリ基地局。
【請求項１８】
マスター基地局の通信方法であって、
ユーザ機器への送信に成功したパケット・データ・コンバージェンス・プロトコル−プロトコル・データ・ユニット（ＰＤＣＰ  ＰＤＵ）の最大シーケンス番号を少なくとも含む下りデータ伝送状態メッセージをセカンダリ基地局から受信するステップと、
上記下りデータ伝送状態メッセージに基づき、上記マスター基地局内に記憶されている１つ以上のＰＤＣＰ  ＰＤＵを削除するステップと、を含む方法。
【請求項１９】
ユーザ機器への送信に成功したパケット・データ・コンバージェンス・プロトコル−プロトコル・データ・ユニット（ＰＤＣＰ  ＰＤＵ）の最大シーケンス番号を少なくとも含む下りデータ伝送状態メッセージを、セカンダリ基地局から受信するために構成された、あるいはプログラムされた下りデータ伝送状態メッセージ受信装置と、
上記下りデータ伝送状態メッセージに基づき、マスター基地局内に記憶されている１つ以上のＰＤＣＰ  ＰＤＵを削除するために構成された、あるいはプログラムされたＰＤＣＰ  ＰＤＵ削除装置と、を含むマスター基地局。